【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
第一の拡張可能部分を備え、前記第一の拡張可能部分は、第一の非拡張状態から、これを脈管管腔に抗して付勢する第二の拡張状態に拡張可能であり、また、
前記第一の拡張可能部分に取り付けられた収縮自在リーフ部分を備え、前記収縮自在リーフ部分は、前記第一の拡張可能部分に連結された単一脊柱部分と、脊柱部分に取り付けられた複数のリブ部分を備えており、前記複数のリブ部分は、前記単一脊柱部分の反対側に連結された一対の列のリブ部分を備えており、縦隣接対のリブ部分には相互連結ストラットがない、血管内プロテーゼ。
【請求項２】
二次元において、各列のリブ部分中のリブ部分は、前記単一脊柱部分に沿ったもう一方の実質鏡像である、請求項１に記載の血管内プロテーゼ。
【請求項３】
第一の列のリブ部分は、複数の第一の連結点において前記単一脊柱部分に連結されており、第二の列のリブ部分は、複数の第二の連結点において前記単一脊柱部分に連結されており、前記複数の第一の連結点と前記複数の第二の連結点は、互いに対して縦に互い違いにされている、請求項１に記載の血管内プロテーゼ。
【請求項４】
前記単一脊柱部分は直線的である、請求項１に記載の血管内プロテーゼ。
【請求項５】
二次元において、各リブ部分は、前記単一脊柱部分の脊柱縦軸に対して鋭角を形成するように実質的に構成されている、請求項１に記載の血管内プロテーゼ。
【請求項６】
二次元において、各リブ部分は、リブ近位部分と、リブ遠位部分と、それらの間に配置されたリブ中間部分を備えている、請求項１に記載の血管内プロテーゼ。
【請求項７】
二次元において、各リブ部分は、不定周囲幅を有している、請求項６に記載の血管内プロテーゼ。
【請求項８】
前記リブ近位部分は、前記リブ部分の全長の約２％から約６％までにあり、前記リブ中間部分は、前記リブ部分の全長の約６０％から約９０％までにあり、前記リブ遠位部分は、前記リブ部分の全長の約４％から約１６％までにある、請求項６に記載の血管内プロテーゼ。
【請求項９】
前記リブ中間部分は、（ｉ）前記リブ近位部分に連結された、前記血管内プロテーゼの縦軸に対してリブのリブ中間第一部分鋭角を形成するように構成されたリブ中間第一部分と、（ｉｉ）前記リブ遠位部分に連結された、前記血管内プロテーゼの縦軸に対してリブ中間第二部分鋭角を形成するように構成されたリブ中間第二部分を備えている、請求項６に記載の血管内プロテーゼ。
【請求項１０】
前記リブ中間第一部分鋭角は、約２２°から約６６°までの範囲内にある、請求項９に記載の血管内プロテーゼ。
【請求項１１】
前記リブ中間第二部分鋭角は、約４２°から約８６°までの範囲内にある、請求項９に記載の血管内プロテーゼ。
【請求項１２】
前記リブ中間第一部分は、約０．００１８から約０．００２４インチまでの範囲内の周囲幅を有している、請求項９に記載の血管内プロテーゼ。
【請求項１３】
前記リブ中間第二部分は、前記リブ部分の全長の約５３％から約８５％までにある、請求項９に記載の血管内プロテーゼ。
【請求項１４】
二次元において、各リブ部分の前記リブ遠位部分は、前記第一の拡張可能部分から離れて方向づけられている、請求項６に記載の血管内プロテーゼ。
【請求項１５】
二次元において、各リブ部分の前記リブ遠位部分は、前記第一の拡張可能部分に向かって方向づけられている、請求項６に記載の血管内プロテーゼ。
【請求項１６】
二次元において、各リブ部分は、少なくとも二つの下位部分を備えており、各下位部分は、前記血管内プロテーゼの縦軸に対して異なる角度を形成している、請求項１に記載の血管内プロテーゼ。
【請求項１７】
二次元において、前記単一脊柱部分と、前記脊柱部分に取り付けられた前記複数のリブ部分は、組み合わさって、前記収縮自在リーフ部分の表面積の約１０％から約５０％までを占めている、請求項１に記載の血管内プロテーゼ。
【請求項１８】
二次元において、前記単一脊柱部分と、前記脊柱部分に取り付けられた前記複数のリブ部分は、組み合わさって、前記収縮自在リーフ部分の表面積の約１５％から約４０％までを占めている、請求項１に記載の血管内プロテーゼ。
【請求項１９】
二次元において、前記第二の拡張状態において、前記第一の拡張可能部分の周囲の５０％に対する前記血管内プロテーゼの縦軸から前記リブ部分の遠位先端部分までの垂直距離の比は約１：４から約１：１までの範囲内にある、請求項１に記載の血管内プロテーゼ。
【請求項２０】
二次元において、前記第二の拡張状態において、前記第一の拡張可能部分の周囲の５０％に対する前記血管内プロテーゼの縦軸から前記リブ部分の遠位先端部分までの垂直距離の比は約１：２．５から約１：１．５までの範囲内にある、請求項１に記載の血管内プロテーゼ。
【請求項２１】
前記単一脊柱部分は、前記血管内プロテーゼの縦軸に実質的に直交している軸のまわりに曲がっている、請求項１に記載の血管内プロテーゼ。
【請求項２２】
前記単一脊柱部分は、前記単一脊柱部分の全長にわたって前記血管内プロテーゼの縦軸を横切る軸のまわりに第一の曲率半径を備えている、請求項２１に記載の血管内プロテーゼ。
【請求項２３】
前記第一の曲率半径は、前記単一脊柱部分の近位部分から前記単一脊柱部分の遠位部分まで不定である、請求項２２に記載の血管内プロテーゼ。
【請求項２４】
前記収縮自在リーフ部分は、前記単一脊柱部分の全長にわたって前記血管内プロテーゼの縦軸のまわりに第二の曲率半径を備えている、請求項１に記載の血管内プロテーゼ。
【請求項２５】
前記第二の曲率半径は、前記収縮自在リーフ部分の近位部分から前記収縮自在リーフ部分の遠位部分まで不定である、請求項２４に記載の血管内プロテーゼ。
【請求項２６】
前記第一の拡張可能部分は、前記第二の拡張状態において約２ｍｍから約１０ｍｍまでの範囲内の直径を有している、請求項１に記載の血管内プロテーゼ。
【請求項２７】
第一の拡張可能部分を備え、前記第一の拡張可能部分は、第一の非拡張状態から、これを脈管管腔に抗して付勢する第二の拡張状態に拡張可能であり、また、
前記第一の拡張可能部分に取り付けられた収縮自在リーフ部分を備え、前記収縮自在リーフ部分は、前記第一の拡張可能部分に連結された単一脊柱部分と、脊柱部分に取り付けられた複数のリブ部分を備えており、前記複数のリブ部分は、前記単一脊柱部分の反対側に連結された一対の列のリブ部分を備えており、縦隣接対のリブ部分には相互連結ストラットがなく、
（ｉ）二次元において、各リブ部分は、リブ近位部分と、リブ遠位部分と、それらの間に配置されたリブ中間部分を備えており、（ｉｉ）各リブ部分の前記リブ遠位部分は、前記第一の拡張可能部分に向かって方向づけられている、血管内プロテーゼ。
【請求項２８】
二次元において、前記第二の拡張状態において、前記第一の拡張可能部分の周囲の５０％に対する前記血管内プロテーゼの縦軸から前記リブ部分の遠位先端部分までの垂直距離の比は約１：２．５から約１：１．５までの範囲内にある、請求項２７に記載の血管内プロテーゼ。
【請求項２９】
第一の拡張可能部分を備え、前記第一の拡張可能部分は、第一の非拡張状態から、これを脈管管腔に抗して付勢する第二の拡張状態に拡張可能であり、また、
前記第一の拡張可能部分に取り付けられた収縮自在リーフ部分を備え、前記収縮自在リーフ部分は、前記第一の拡張可能部分に連結された単一脊柱部分と、脊柱部分に取り付けられた複数のリブ部分を備えており、前記複数のリブ部分は、前記単一脊柱部分の反対側に連結された一対の列のリブ部分を備えており、縦隣接対のリブ部分には相互連結ストラットがなく、
（ｉ）二次元において、各リブ部分は、リブ近位部分と、リブ遠位部分と、それらの間に配置されたリブ中間部分を備えており、（ｉｉ）各リブ部分の前記リブ遠位部分は、前記第一の拡張可能部分に向かって方向づけられており、（ｉｉｉ）前記第二の拡張状態において、前記第一の拡張可能部分の周囲の５０％に対する前記血管内プロテーゼの縦軸から前記リブ部分の遠位先端部分までの垂直距離の比は約１：２．５から約１：１．５までの範囲内にある、血管内プロテーゼ。
【請求項３０】
第一の拡張可能部分を備え、前記第一の拡張可能部分は、第一の非拡張状態から、これを脈管管腔に抗して付勢する第二の拡張状態に拡張可能であり、また、
前記第一の拡張可能部分に取り付けられた収縮自在リーフ部分を備え、前記収縮自在リーフ部分は、前記第一の拡張可能部分に連結された単一脊柱部分と、脊柱部分に取り付けられた複数のリブ部分を備えており、前記複数のリブ部分は、前記単一脊柱部分の反対側に連結された一対の列のリブ部分を備えており、縦隣接対のリブ部分には相互連結ストラットがなく、
（ｉ）二次元において、各リブ部分は、リブ近位部分と、リブ遠位部分と、それらの間に配置されたリブ中間部分を備えており、（ｉｉ）各リブ部分の前記リブ遠位部分は、前記第一の拡張可能部分に向かって方向づけられており、（ｉｉｉ）各リブ部分は、少なくとも二つの下位部分を備えており、各下位部分は、血管内プロテーゼの縦軸に対して異なる角度を形成している、血管内プロテーゼ。
【手続補正２】
【補正対象書類名】明細書
【補正対象項目名】０３３１
【補正方法】変更
【補正の内容】
【０３３１】
この中において述べられたすべての刊行物、特許または特許出願は、あたかも各刊行物、特許または特許出願が参照によってその全体が明確にまた個々に示されるように、参照によってそれらの全体が同じ程度に組み込まれる。
以下に、本願出願の当初の特許請求の範囲に記載された発明を付記する。
［１］  第一の拡張可能部分を備え、前記第一の拡張可能部分は、第一の非拡張状態から、これを脈管管腔に抗して付勢する第二の拡張状態に拡張可能であり、また、
前記第一の拡張可能部分に取り付けられた収縮自在リーフ部分を備え、前記収縮自在リーフ部分は、少なくとも一つの脊柱部分と、脊柱部分に取り付けられた複数のリブ部分を備えており、縦隣接対のリブ部分には相互連結ストラットがない、血管内にプロテーゼ。
［２］  前記第一の拡張可能部分に単一脊柱部分が連結されている、［１］に定められた血管内プロテーゼ。
［３］  前記単一脊柱部分は、前記単一脊柱部分の一方の側に連結された一つの列のリブ部分を備えている、［２］に定められた血管内プロテーゼ。
［４］  前記単一脊柱部分は、一対の列のリブ部分を備えており、各列のリブ部分は、前記単一脊柱部分の一方の側に連結されている、［２］に定められた血管内プロテーゼ。
［５］  前記単一脊柱部分は、前記単一脊柱部分の反対側に連結された一対の列のリブ部分を備えている、［２］に定められた血管内プロテーゼ。
［６］  二次元において、各列のリブ部分は、前記単一脊柱部分に沿った隣接列のリブ部分の実質鏡像である、［４］〜［５］のいずれか一つに定められた血管内プロテーゼ。
［７］  第一の列のリブ部分は、複数の第一の連結点において前記単一脊柱部分に連結されており、第二の列のリブ部分は、複数の第二の連結点において前記単一脊柱部分に連結されており、前記複数の第一の連結点と前記複数の第二の連結点は、互いに対して縦に整列されている、［４］〜［６］のいずれか一つに定められた血管内プロテーゼ。
［８］  第一の列のリブ部分は、複数の第一の連結点において前記単一脊柱部分に連結されており、第二の列のリブ部分は、複数の第二の連結点において前記単一脊柱部分に連結されており、前記複数の第一の連結点と前記複数の第二の連結点は、互いに対して縦に互い違いにされている、［４］〜［６］のいずれか一つに定められた血管内プロテーゼ。
［９］  前記単一脊柱部分は直線的である、［４］〜［８］のいずれか一つに定められた血管内プロテーゼ。
［１０］  前記単一脊柱部分は曲線的である、［４］〜［８］のいずれか一つに定められた血管内プロテーゼ。
［１１］  前記単一脊柱部分は曲がっている、［４］〜［８］のいずれか一つに定められた血管内プロテーゼ。
［１２］  前記単一脊柱部分は、交互の山と谷を備えている波形パターンを備えている、［４］〜［８］のいずれか一つに定められた血管内プロテーゼ。
［１３］  少なくともいくつかのリブ部分は、前記波形パターンの前記山に連結されている、［１２］に定められた血管内プロテーゼ。
［１４］  各リブ部分は、前記波形パターンの山に連結されている、［１２］に定められた血管内プロテーゼ。
［１５］  二次元において、各リブ部分は、前記単一脊柱部分の脊柱縦軸に対して鋭角を形成するように実質的に構成されている、［３］〜［１４］のいずれか一つに定められた血管内プロテーゼ。
［１６］  二次元において、各リブ部分は、リブ近位部分と、リブ遠位部分と、それらの間に配置されたリブ中間部分を備えている、［３］〜［１５］のいずれか一つに定められた血管内プロテーゼ。
［１７］  二次元において、各リブ部分は、実質一定周囲幅を有している、［１６］に定められた血管内プロテーゼ。
［１８］  二次元において、各リブ部分は、不定周囲幅を有している、［１６］に定められた血管内プロテーゼ。
［１９］  二次元において、前記リブ中間部分は、前記リブ近位部分と前記リブ遠位部分の少なくとも一方よりも小さい周囲幅を有している、［１６］に定められた血管内プロテーゼ。
［２０］  前記リブ中間部分は、前記リブ近位部分と前記リブ遠位部分の両方よりも小さい周囲幅を有している、［１６］に定められた血管内プロテーゼ。
［２１］  前記リブ近位部分は、約０．００１０から約０．０１２０インチまでの範囲内の周囲幅を有している、［１６］〜［２０］のいずれか一つに定められた血管内プロテーゼ。
［２２］  前記リブ近位部分は、約０．００１７から約０．００９６インチまでの範囲内の周囲幅を有している、［１６］〜［２０］のいずれか一つに定められた血管内プロテーゼ。
［２３］  前記リブ近位部分は、約０．００２４から約０．００７２インチまでの範囲内の周囲幅を有している、［１６］〜［２０］のいずれか一つに定められた血管内プロテーゼ。
［２４］  前記リブ近位部分は、前記リブ部分の全長の約１％から約１０％までにある、［１６］〜［２３］のいずれか一つに定められた血管内プロテーゼ。
［２５］  前記リブ近位部分は、前記リブ部分の全長の約２％から約６％までにある、［１６］〜［２３］のいずれか一つに定められた血管内プロテーゼ。
［２６］  前記リブ近位部分は、前記リブ部分の全長の約３％である、［１６］〜［２３］のいずれか一つに定められた血管内プロテーゼ。
［２７］  前記リブ中間部分は、約０．０００５から約０．０１００インチまでの範囲内の周囲幅を有している、［１６］〜［２６］のいずれか一つに定められた血管内プロテーゼ。
［２８］  前記リブ中間部分は、約０．００１１から約０．００６２インチまでの範囲内の周囲幅を有している、［１６］〜［２７］のいずれか一つに定められた血管内プロテーゼ。
［２９］  前記リブ中間部分は、約０．００１６から約０．００２４インチまでの範囲内の周囲幅を有している、［１６］〜［２７］のいずれか一つに定められた血管内プロテーゼ。
［３０］  前記リブ中間部分は、前記リブ部分の全長の約２５％から約９０％までにある、［１６］〜［２９］のいずれか一つに定められた血管内プロテーゼ。
［３１］  前記リブ中間部分は、前記リブ部分の全長の約６０％から約９０％までにある、［１６］〜［２９］のいずれか一つに定められた血管内プロテーゼ。
［３２］  前記リブ中間部分は、前記リブ部分の全長の約９０％である、［１６］〜［２９］のいずれか一つに定められた血管内プロテーゼ。
［３３］  前記リブ遠位部分は、約０．００１０から約０．０１２０インチまでの範囲内の周囲幅を有している、［１６］〜［３２］のいずれか一つに定められた血管内プロテーゼ。
［３４］  前記リブ遠位部分は、約０．００１３から約０．００７２インチまでの範囲内の周囲幅を有している、［１６］〜［３２］のいずれか一つに定められた血管内プロテーゼ。
［３５］  前記リブ遠位部分は、約０．００１６から約０．００２４インチまでの範囲内の周囲幅を有している、［１６］〜［３２］のいずれか一つに定められた血管内プロテーゼ。
［３６］  前記リブ遠位部分は、前記リブ部分の全長の約２５％までにある、［１６］〜［３５］のいずれか一つに定められた血管内プロテーゼ。
［３７］  前記リブ遠位部分は、前記リブ部分の全長の約４％から約１６％までにある、［１６］〜［３５］のいずれか一つに定められた血管内プロテーゼ。
［３８］  前記リブ遠位部分は、前記リブ部分の全長の約７％までにある、［１６］〜［３５］のいずれか一つに定められた血管内プロテーゼ。
［３９］  前記リブ近位部分は、前記血管内プロテーゼの縦軸に対してリブ近位部分鋭角を形成するように構成されている、［１６］〜［３８］のいずれか一つに定められた血管内プロテーゼ。
［４０］  前記リブ近位部分鋭角は、約１５°から約９０°までの範囲内にある、［３９］に定められた血管内プロテーゼ。
［４１］  前記リブ近位部分鋭角は、約３５°から約６０°までの範囲内にある、［３９］に定められた血管内プロテーゼ。
［４２］  前記リブ近位部分鋭角は、約４５°である、［３９］に定められた血管内プロテーゼ。
［４３］  前記リブ遠位部分は、前記血管内プロテーゼのリブ中間部分に対してリブ遠位部分角を形成するように構成されている、［１６］〜［５２］のいずれか一つに定められた血管内プロテーゼ。
［４４］  前記リブ遠位部分角は、約０°から約１２０°までの範囲内にある、［４３］に定められた血管内プロテーゼ。
［４５］  前記リブ遠位部分角は、約３°から約６０°までの範囲内にある、［４３］に定められた血管内プロテーゼ。
［４６］  前記リブ遠位部分角は、約８°である、［４３］に定められた血管内プロテーゼ。
［４７］  前記リブ中間部分は、前記血管内プロテーゼの縦軸に対してリブ中間部分鋭角を形成するように構成されている、［１６］〜［４６］のいずれか一つに定められた血管内プロテーゼ。
［４８］  前記リブ中間部分鋭角は、約５°から約１４０°までの範囲内にある、［４７］に定められた血管内プロテーゼ。
［４９］  前記リブ中間部分鋭角は、約２２°から約８６°までの範囲内にある、［４７］に定められた血管内プロテーゼ。
［５０］  前記リブ中間部分鋭角は、約４５°である、［４７］に定められた血管内プロテーゼ。
［５１］  前記リブ中間部分は、（ｉ）前記リブ近位部分に連結された、前記血管内プロテーゼの縦軸に対してリブのリブ中間第一部分鋭角を形成するように構成されたリブ中間第一部分と、（ｉｉ）前記リブ遠位部分に連結された、前記血管内プロテーゼの縦軸に対してリブ中間第二部分鋭角を形成するように構成されたリブ中間第二部分を備えている、［１６］〜［５０］のいずれか一つに定められた血管内プロテーゼ。
［５２］  前記リブ中間第一部分鋭角は前記リブ中間第二部分鋭角よりも小さい、［５１］に定められた血管内プロテーゼ。
［５３］  前記リブ中間第一部分鋭角は、約５°から約１４０°までの範囲内にある、［５１］に定められた血管内プロテーゼ。
［５４］  前記リブ中間第一部分鋭角は、約２２°から約６６°までの範囲内にある、［５１］に定められた血管内プロテーゼ。
［５５］  前記リブ中間第一部分鋭角は、約３０°である、［５１］に定められた血管内プロテーゼ。
［５６］  前記リブ中間第二部分鋭角は、約５°から約１４０°までの範囲内にある、［５１］〜［５５］のいずれか一つに定められた血管内プロテーゼ。
［５７］  前記リブ中間第二部分鋭角は、約４２°から約８６°までの範囲内にある、［５１］〜［５５］のいずれか一つに定められた血管内プロテーゼ。
［５８］  前記リブ中間第二部分鋭角は、約６０°である、［５１］〜［５５］のいずれか一つに定められた血管内プロテーゼ。
［５９］  前記リブ中間第一部分は、約０．００１０から約０．０１００インチまでの範囲内の周囲幅を有している、［５１］〜［５８］のいずれか一つに定められた血管内プロテーゼ。
［６０］  前記リブ中間第一部分は、約０．００１４から約０．００６２インチまでの範囲内の周囲幅を有している、［５１］〜［５８］のいずれか一つに定められた血管内プロテーゼ。
［６１］  前記リブ中間第一部分は、約０．００１８から約０．００２４インチまでの範囲内の周囲幅を有している、［５１］〜［５８］のいずれか一つに定められた血管内プロテーゼ。
［６２］  前記リブ中間第一部分は、前記リブ部分の全長の約５％から約２５％までにある、［５１］〜［６１］のいずれか一つに定められた血管内プロテーゼ。
［６３］  前記リブ中間第一部分は、前記リブ部分の全長の約７％から約１７％までにある、［５１］〜［６１］のいずれか一つに定められた血管内プロテーゼ。
［６４］  前記リブ中間第一部分は、前記リブ部分の全長の約９％である、［５１］〜［６１］のいずれか一つに定められた血管内プロテーゼ。
［６５］  前記リブ中間第二部分は、約０．０００５から約０．００７０インチまでの範囲内の周囲幅を有している、［５１］〜［６４］のいずれか一つに定められた血管内プロテーゼ。
［６６］  前記リブ中間第二部分は、約０．００１１から約０．００４４インチまでの範囲内の周囲幅を有している、［５１］〜［６４］のいずれか一つに定められた血管内プロテーゼ。
［６７］  前記リブ中間第二部分は、約０．００１６から約０．００１８インチまでの範囲内の周囲幅を有している、［５１］〜［６４］のいずれか一つに定められた血管内プロテーゼ。
［６８］  前記リブ中間第二部分は、前記リブ部分の全長の約２５％から約９０％までにある、［５１］〜［６７］のいずれか一つに定められた血管内プロテーゼ。
［６９］  前記リブ中間第二部分は、前記リブ部分の全長の約５３％から約８５％までにある、［５１］〜［６７］のいずれか一つに定められた血管内プロテーゼ。
［７０］  前記リブ中間第二部分は、前記リブ部分の全長の約８１％である、［５１］〜［６７］のいずれか一つに定められた血管内プロテーゼ。
［７１］  二次元において、各リブ部分の前記リブ遠位部分は、前記第一の拡張可能部分から離れて方向づけられている、［１６］〜［７０］のいずれか一つに定められた血管内プロテーゼ。
［７２］  二次元において、各リブ部分の前記リブ遠位部分は、前記第一の拡張可能部分に向かって方向づけられている、［１６］〜［７０］のいずれか一つに定められた血管内プロテーゼ。
［７３］  二次元において、各リブ部分は直線的である、［１］〜［７２］のいずれか一つに定められた血管内プロテーゼ。
［７４］  二次元において、各リブ部分は曲線的である、［１］〜［７２］のいずれか一つに定められた血管内プロテーゼ。
［７５］  二次元において、各リブ部分は曲がっている、［１］〜［７２］のいずれか一つに定められた血管内プロテーゼ。
［７６］  二次元において、各リブ部分は、少なくとも二つの下位部分を備えており、各下位部分は、前記血管内プロテーゼの縦軸に対して異なる角度を形成している、［１］〜［７５］のいずれか一つに定められた血管内プロテーゼ。
［７７］  一対の縦隣接リブ部分は、前記脊柱部分への連結点において約０．０２５４ｍｍから約１０ｍｍまでにわたる距離で離間している、［１］〜［７６］のいずれか一つに定められた血管内プロテーゼ。
［７８］  一対の縦隣接リブ部分は、前記脊柱部分への連結点において約０．０２５４ｍｍから約５ｍｍまでにわたる距離で離間している、［１］〜［７６］のいずれか一つに定められた血管内プロテーゼ。
［７９］  一対の縦隣接リブ部分は、前記脊柱部分への連結点において約０．１４００ｍｍから約３ｍｍまでにわたる距離で離間している、［１］〜［７６］のいずれか一つに定められた血管内プロテーゼ。
［８０］  一対の縦隣接リブ部分は、前記脊柱部分への連結点において約０．１４００ｍｍから約１ｍｍまでにわたる距離で離間している、［１］〜［７６］のいずれか一つに定められた血管内プロテーゼ。
［８１］  一対の縦隣接リブ部分は、前記脊柱部分への連結点において約０．１４００ｍｍから約０．８ｍｍまでにわたる距離で離間している、［１］〜［７６］のいずれか一つに定められた血管内プロテーゼ。
［８２］  一対の縦隣接リブ部分は、前記脊柱部分への連結点において約０．１４００ｍｍから約０．６ｍｍまでにわたる距離で離間している、［１］〜［７６］のいずれか一つに定められた血管内プロテーゼ。
［８３］  一対の縦隣接リブ部分は、前記脊柱部分への連結点において約０．２５４ｍｍの距離で離間している、［１］〜［７６］のいずれか一つに定められた血管内プロテーゼ。
［８４］  二次元において、前記少なくとも一つの脊柱部分と、前記脊柱部分に取り付けられた前記複数のリブ部分は、組み合わさって、前記収縮自在リーフ部分の表面積の約７５％よりも小さく占めている、［１］〜［８３］のいずれか一つに定められた血管内プロテーゼ。
［８５］  二次元において、前記少なくとも一つの脊柱部分と、前記脊柱部分に取り付けられた前記複数のリブ部分は、組み合わさって、前記収縮自在リーフ部分の表面積の約５％から約７５％までを占めている、［１］〜［８３］のいずれか一つに定められた血管内プロテーゼ。
［８６］  二次元において、前記少なくとも一つの脊柱部分と、前記脊柱部分に取り付けられた前記複数のリブ部分は、組み合わさって、前記収縮自在リーフ部分の表面積の約５％から約６５％までを占めている、［１］〜［８３］のいずれか一つに定められた血管内プロテーゼ。
［８７］  二次元において、前記少なくとも一つの脊柱部分と、前記脊柱部分に取り付けられた前記複数のリブ部分は、組み合わさって、前記収縮自在リーフ部分の表面積の約１０％から約５０％までを占めている、［１］〜［８３］のいずれか一つに定められた血管内プロテーゼ。
［８８］  二次元において、前記少なくとも一つの脊柱部分と、前記脊柱部分に取り付けられた前記複数のリブ部分は、組み合わさって、前記収縮自在リーフ部分の表面積の約１５％から約４０％までを占めている、［１］〜［８３］のいずれか一つに定められた血管内プロテーゼ。
［８９］  二次元において、前記少なくとも一つの脊柱部分と、前記脊柱部分に取り付けられた前記複数のリブ部分は、組み合わさって、前記収縮自在リーフ部分の表面積の約１０％よりも小さく占めている、［１］〜［８３］のいずれか一つに定められた血管内プロテーゼ。
［９０］  二次元において、前記少なくとも一つの脊柱部分と、前記脊柱部分に取り付けられた前記複数のリブ部分は、組み合わさって、前記収縮自在リーフ部分の表面積の約８％よりも小さく占めている、［１］〜［８３］のいずれか一つに定められた血管内プロテーゼ。
［９１］  二次元において、前記少なくとも一つの脊柱部分と、前記脊柱部分に取り付けられた前記複数のリブ部分は、組み合わさって、前記収縮自在リーフ部分の表面積の約５％よりも小さく占めている、［１］〜［８３］のいずれか一つに定められた血管内プロテーゼ。
［９２］  二次元において、前記少なくとも一つの脊柱部分と、前記脊柱部分に取り付けられた前記複数のリブ部分は、組み合わさって、前記収縮自在リーフ部分の表面積の約３％よりも小さく占めている、［１］〜［８３］のいずれか一つに定められた血管内プロテーゼ。
［９３］  前記収縮自在リーフ部分は、前記複数のリブ部分に連結された被覆層をさらに備えている、［７７］〜［９２］のいずれか一つに定められた血管内プロテーゼ。
［９４］  前記収縮自在リーフ部分は、前記脊柱部分の一方の側に連結された１０未満の縦離間リブ部分を備えている、［８９］〜［９３］に定められた血管内プロテーゼ。
［９５］  前記収縮自在リーフ部分は、前記脊柱部分の一方の側に連結された８未満の縦離間リブ部分を備えている、［８９］〜［９３］に定められた血管内プロテーゼ。
［９６］  前記収縮自在リーフ部分は、前記脊柱部分の一方の側に連結された６未満の縦離間リブ部分を備えている、［８９］〜［９３］に定められた血管内プロテーゼ。
［９７］  前記収縮自在リーフ部分は、前記脊柱部分の一方の側に連結されたわずか３つの縦離間リブ部分を包含している、［８９］〜［９３］に定められた血管内プロテーゼ。
［９８］  二次元において、前記第二の拡張状態において、前記第一の拡張可能部分の周囲の５０％に対する前記縦軸から前記リブ部分の遠位先端部分までの垂直距離の比は約１：４から約１：１までの範囲内にある、［１］〜［９７］に定められた血管内プロテーゼ。
［９９］  二次元において、前記第二の拡張状態において、前記第一の拡張可能部分の周囲の５０％に対する前記縦軸から前記リブ部分の遠位先端部分までの垂直距離の比は約１：２．５から約１：１．５までの範囲内にある、［１］〜［９７］に定められた血管内プロテーゼ。
［１００］  二次元において、前記第二の拡張状態において、前記第一の拡張可能部分の周囲の５０％に対する前記縦軸から前記リブ部分の遠位先端部分までの垂直距離の比は約５：９である、［１］〜［９７］に定められた血管内プロテーゼ。
［１０１］  前記少なくとも一つの脊柱部分は、前記血管内プロテーゼの縦軸を横切る軸のまわりに曲がっている、［１］〜［１００］のいずれか一つに定められた血管内プロテーゼ。
［１０２］  前記少なくとも一つの脊柱部分は、前記血管内プロテーゼの縦軸に実質的に直交している軸のまわりに曲がっている、［１］〜［１００］のいずれか一つに定められた血管内プロテーゼ。
［１０３］  前記軸は、前記少なくとも一つの脊柱部分に対して前記複数のリブ部分の反対側にある、［１０１］〜［１０２］のいずれか一つに定められた血管内プロテーゼ。
［１０４］  前記少なくとも一つの脊柱部分は、前記少なくとも一つの脊柱部分の全長にわたって前記血管内プロテーゼの縦軸を横切る軸のまわりに第一の曲率半径を備えている、［１０１］〜［１０３］のいずれか一つに定められた血管内プロテーゼ。
［１０５］  前記第一の曲率半径は、前記少なくとも一つの脊柱部分の近位部分から前記少なくとも一つの脊柱部分の遠位部分まで実質的に一定である、［１０１］〜［１０４］のいずれか一つに定められた血管内プロテーゼ。
［１０６］  前記第一の曲率半径は、前記少なくとも一つの脊柱部分の近位部分から前記少なくとも一つの脊柱部分の遠位部分まで不定である、［１０１］〜［１０４］のいずれか一つに定められた血管内プロテーゼ。
［１０７］  前記第一の曲率半径は、前記少なくとも一つの脊柱部分の近位部分から前記少なくとも一つの脊柱部分の遠位部分まで減少している、［１０６］に定められた血管内プロテーゼ。
［１０８］  前記収縮自在リーフ部分は、前記少なくとも一つの脊柱部分の全長にわたって前記血管内プロテーゼの縦軸のまわりに第二の曲率半径を備えている、［１］〜［１０７］に定められた血管内プロテーゼ。
［１０９］  前記第二の曲率半径は、前記収縮自在部分の近位部分から前記収縮自在部分の遠位部分まで実質的に一定である、［１０８］に定められた血管内プロテーゼ。
［１１０］  前記第二の曲率半径は、前記収縮自在リーフ部分の近位部分から収縮自在リーフ部分の遠位部分まで不定である、［１０８］に定められた血管内プロテーゼ。
［１１１］  前記第二の曲率半径は、前記収縮自在リーフ部分の近位部分から前記収縮自在リーフ部分の遠位部分まで増加している、［１０８］に定められた血管内プロテーゼ。
［１１２］  前記血管内プロテーゼの拡張外形において、前記収縮自在リーフ部分は、前記血管内プロテーゼの縦軸のまわりに約９０°から約３６０°までの範囲内の湾曲の弧を備えている、［１］〜［１１１］のいずれか一つに定められた血管内プロテーゼ。
［１１３］  前記血管内プロテーゼの拡張外形において、前記収縮自在リーフ部分は、前記血管内プロテーゼの縦軸のまわりに約１２０°から約２７０°までの範囲内の湾曲の弧を備えている、［１］〜［１１１］のいずれか一つに定められた血管内プロテーゼ。
［１１４］  前記血管内プロテーゼの拡張外形において、前記収縮自在リーフ部分は、前記血管内プロテーゼの縦軸のまわりに約１５０°から約２５０°までの範囲内の湾曲の弧を備えている、［１］〜［１１１］のいずれか一つに定められた血管内プロテーゼ。
［１１５］  前記血管内プロテーゼの拡張外形において、前記収縮自在リーフ部分は、前記血管内プロテーゼの縦軸のまわりに約１７５°から約２２５°までの範囲内の湾曲の弧を備えている、［１］〜［１１１］のいずれか一つに定められた血管内プロテーゼ。
［１１６］  前記血管内プロテーゼの拡張外形において、前記収縮自在リーフ部分は、前記血管内プロテーゼの縦軸のまわりに約２００°の湾曲の弧を備えている、［１］〜［１１１］のいずれか一つに定められた血管内プロテーゼ。
［１１７］  前記第一の拡張可能部分は、前記第二の拡張状態において約２ｍｍから約４０ｍｍまでの範囲内の直径を有している、［１］〜［１１６］のいずれか一つに定められた血管内プロテーゼ。
［１１８］  前記第一の拡張可能部分は、前記第二の拡張状態において約２ｍｍから約３０ｍｍまでの範囲内の直径を有している、［１］〜［１１６］のいずれか一つに定められた血管内プロテーゼ。
［１１９］  前記第一の拡張可能部分は、前記第二の拡張状態において約２ｍｍから約２０ｍｍまでの範囲内の直径を有している、［１］〜［１１６］のいずれか一つに定められた血管内プロテーゼ。
［１２０］  前記第一の拡張可能部分は、前記第二の拡張状態において約２ｍｍから約１０ｍｍまでの範囲内の直径を有している、［１］〜［１１６］のいずれか一つに定められた血管内プロテーゼ。
［１２１］  前記第一の拡張可能部分は、前記第二の拡張状態において約２．５ｍｍから約５ｍｍまでの範囲内の直径を有している、［１］〜［１１６］のいずれか一つに定められた血管内プロテーゼ。
［１２２］  前記第一の拡張可能部分に単一脊柱部分が連結され、前記単一脊柱部分の遠位部分にループ部分が連結されている、［１］〜［１２１］のいずれか一つに定められた血管内プロテーゼ。
［１２３］  前記第一の拡張可能部分に単一脊柱部分が連結され、前記単一脊柱部分の遠位部分に分割ループ部分が連結されている、［１］〜［１２１］のいずれか一つに定められた血管内プロテーゼ。
［１２４］  前記ループ部分は、放射線不透過性部分を備えている、［１２２］〜［１２３］のいずれか一つに定められた血管内プロテーゼ。
［１２５］  第一の非拡張状態から、前記第一の拡張可能部分を脈管管腔に抗して付勢する第二の拡張状態に拡張可能である第二の拡張可能部分をさらに備えている、［１］〜［１２４］のいずれか一つに定められた血管内プロテーゼ。
［１２６］  前記第二の拡張可能部分は、放射線不透過性部分を備えている、［１２５］に定められた血管内プロテーゼ。
［１２７］  前記血管内プロテーゼは、チューブ状出発材料から製造されている、［１］〜［１２６］のいずれか一つに定められた血管内プロテーゼ。
［１２８］  前記血管内プロテーゼは、切断技術が適用されたチューブ状出発材料から製造されている、［１］〜［１２６］のいずれか一つに定められた血管内プロテーゼ。
［１２９］  前記血管内プロテーゼは、レーザー切断技術が適用されたチューブ状出発材料から製造されている、［１］〜［１２６］のいずれか一つに定められた血管内プロテーゼ。
［１３０］  管状壁は、約０．０００５から約０．０２００インチまでの範囲内の径方向厚さを有している、［１２７］〜［１２９］のいずれか一つに定められた血管内プロテーゼ。
［１３１］  管状壁は、約０．００１５から約０．０１００インチまでの範囲内の径方向厚さを有している、［１２７］〜［１２９］のいずれか一つに定められた血管内プロテーゼ。
［１３２］  管状壁は、約０．００２５インチの径方向厚さを有している、［１２７］〜［１２９］のいずれか一つに定められた血管内プロテーゼ。
［１３３］  前記第一の拡張可能部分は、放射線不透過性部分を備えている、［１］〜［１３２］のいずれか一つに定められた血管内プロテーゼ。
［１３４］  前記プロテーゼは、自己拡張材料から作られている、［１］〜［１３２］のいずれか一つに定められた血管内プロテーゼ。
［１３５］  前記プロテーゼは、形状記憶合金から作られている、［１］〜［１３２］のいずれか一つに定められた血管内プロテーゼ。
［１３６］  前記プロテーゼは、ニチノールから作られている、［１］〜［１３２］のいずれか一つに定められた血管内プロテーゼ。
［１３７］  前記プロテーゼは、金属材料から作られている、［１］〜［１３２］のいずれか一つに定められた血管内プロテーゼ。
［１３８］  前記プロテーゼは、高分子材料から作られている、［１］〜［１３２］のいずれか一つに定められた血管内プロテーゼ。